(57)【要約】光伝送ネットワークにおいてパス終端装置間のＪ１バイト部分を用いたパストレースを行わずに、パス終端装置間の内側にあるライン終端装置間の中間パストレースを行って誤設定確認（導通確認）を行うため、所定の第１のライン終端装置で伝送フレームフォーマットの所定バイト部分に所定のトレースコードを挿入し、所定の第２のライン終端装置で所定バイト部分のデータを抽出し、そのデータを該所定のトレースコードに対応する期待値と比較する。また、送信側及び受信側のライン終端装置以外のライン終端装置は上記の所定バイト部分をそのまま通過させる。
2004051899.tif 000002
【特許請求の範囲】
【請求項１】
所定の第１のライン終端装置で伝送フレームフォーマットの所定バイト部分に所定のトレースコードを挿入する第１ステップと、
所定の第２のライン終端装置で、該所定バイト部分のデータを抽出し、該データを、該所定のトレースコードに対応する期待値と比較する第２ステップと、
を備えたことを特徴とするパストレース方法。
【請求項２】
請求の範囲１において、
両ライン終端装置以外のライン終端装置は、該所定バイト部分をそのまま通過させることを特徴とするパストレース方法。
【請求項３】
請求の範囲１において、
該所定バイト部分が、ＳＯＮＥＴ／ＳＤＨ系のＨ３バイト部分であることを特徴とするパストレース方法。
【請求項４】
請求の範囲１において、
パス回線未設定時にも、該第１及び第２ステップを実行することを特徴とするパストレース方法。
【請求項５】
請求の範囲１において、
該第１ステップは、パスアラーム発生時に、該所定のトレースコードの代わりに、アラームコードを該所定バイト部分に挿入することを特徴とするパストレース方法。
【請求項６】
請求の範囲５において、
該第２ステップは、該アラームコードを検出したときには実行されないことを特徴とするパストレース方法。
【請求項７】
請求の範囲１において、
両ライン終端装置が、該第１ステップでそれぞれ該所定のトレースコードを送信し、検出した該データと自装置が送信する該所定のトレースコードとを比較することにより第２ステップを実行することを特徴とするパストレース方法。
【請求項８】
請求の範囲１において、
該第１ステップは、コンカチ信号時には、先頭チャネルのみ該所定バイト部分に該所定のトレースコードを挿入することを特徴とするパストレース方法。
【請求項９】
請求の範囲８において、
該第２ステップは、該コンカチ信号時には、先頭チャネルのみ該比較を実行することを特徴とするパストレース方法。
【請求項１０】
請求の範囲６において、
該第２ステップは、該パスアラーム信号受信時であっても、自装置が該所定バイト部分をサポートしていないときは、該所定バイト部分が全て同符号であれば、中間パストレースエラー信号を発生しないようにすることを特徴とするパストレース方法。
【請求項１１】
請求の範囲１において、
該第１ステップが、可変フレーム長に対応して該所定バイト部分に該所定のトレースコードを挿入することを特徴とするパストレース方法。
【請求項１２】
請求の範囲１１において、
該第２ステップが、該可変フレーム長から該データを抽出することを特徴とするパストレース方法。
【請求項１３】
請求の範囲７において、
該第２ステップでの比較結果が不一致であったとき、画ライン終端装置間の他のライン終端装置においてループバックさせることにより正常なライン終端装置を検知する第３ステップをさらに備えたことを特徴とするパストレース方法。
【請求項１４】
伝送フレームフォーマットの所定バイト部分に所定のトレースコードを挿入する所定の第１のライン終端装置と、
該所定バイト部分のデータを抽出し、該データを、該所定のトレースコードに対応する期待値と比較する所定の第２のライン終端装置と、
を備えたことを特徴とするパストレース装置。
【請求項１５】
請求の範囲１４において、
両ライン終端装置以外のライン終端装置は、該所定バイト部分をそのまま通過させることを特徴とするパストレース装置。
【請求項１６】
請求の範囲１４において、
該所定バイト部分が、ＳＯＮＥＴ／ＳＤＨ系のＨ３バイト部分であることを特徴とするパストレース装置。
【請求項１７】
請求の範囲１４において、
該第１及び第２のライン終端装置はパス回線未設定時にも、該挿入及び比較動作を実行することを特徴とするパストレース装置。
【請求項１８】
請求の範囲１４において、
該第１のライン終端装置が、パスアラーム発生時に、該所定のトレースコードの代わりに、アラームコードを該所定バイト部分に挿入することを特徴とするパストレース装置。
【請求項１９】
請求の範囲１８において、
該第２のライン終端装置が、該アラームコードを検出したときには該比較を実行しないことを特徴とするパストレース装置。
【請求項２０】
請求の範囲１４において、
両ライン終端装置が、それぞれ該所定のトレースコードを送信し、検出した該データと該期待値とを比較することを特徴とするパストレース装置。
【請求項２１】
請求の範囲１４において、
該第１のライン終端装置が、コンカチ信号時には、先頭チャネルのみ該所定バイト部分に該所定のトレースコードを挿入することを特徴とするパストレース装置。
【請求項２２】
請求の範囲２１において、
該第２のライン終端装置が、該コンカチ信号時には、先頭チャネルのみ該比較を実行することを特徴とするパストレース装置。
【請求項２３】
請求の範囲１９において、
該第２のライン終端装置が、該パスアラーム信号受信時であっても、自装置が該所定バイト部分をサポートしていないときは、該所定バイト部分が全て同符号であれば、中間パストレースエラー信号を発生しないようにすることを特徴とするパストレース装置。
【請求項２４】
請求の範囲１４において、
該第１のライン終端装置が、可変フレーム長に対応して該所定バイト部分に該所定のトレースコードを挿入することを特徴とするパストレース装置。
【請求項２５】
請求の範囲２４において、
該第２のライン終端装置が、該可変フレーム長から該データを抽出することを特徴とするパストレース装置。
【請求項２６】
請求の範囲２０において、
該第２のライン終端装置での比較結果が不一致であったとき、両ライン終端装置間の他のライン終端装置においてループバックさせることにより正常なライン終端装置を検知することを特徴とするパストレース装置。
【請求項２７】
伝送フレームフォーマットの所定バイト部分に所定のトレースコードを挿入する第１手段と、
該所定バイト部分をそのまま通過させる第２手段と、
該所定バイト部分のデータを抽出し、該データを、該所定のトレースコードに対応する期待値と比較する第３手段と、
を備えたことを特徴とするライン終端装置。
【発明の詳細な説明】
【技術分野】  本発明は、パストレース方法及び装置に関し、特にライン終端装置間におけるパストレース方法及び装置に関するものである。
近年、ＳＯＮＥＴ／ＳＤＨなどの光伝送ネットワークは情報化社会における通信回線の需要増大を背景に、複雑なベンダー間のネットワークが接続されている形態になっている。また、伝送路のパス回線もデジタルクロスコネクトを行うことにより複雑なパス間の接続を実現しているが、このクロスコネクトの誤設定防止の機能が必要となっている。
【背景技術】  図２０は、従来から知られている光伝送ネットワークを示しており、パス終端装置（ＰＴＥ：Ｐａｔｈ  Ｔｅｒｍｉｎａｔｉｎｇ  Ｅｑｕｉｐｍｅｎｔ）１及び１０は、ライン終端装置（ＬＴＥ：Ｌｉｎｅ  Ｔｅｒｍｉｎａｔｉｎｇ  Ｅｑｕｉｐｍｅｎｔ）２〜８及び光ネットワークＮＷ１を経由して接続されるようになっており、パス終端装置１はクライアント側ネットワークＮＷ２に属し、パス終端装置１０はクライアント側ネットワークＮＷ３に属している。
このような光伝送ネットワークにおいて、ライン終端装置２〜８又は光ネットワークＮＷ１におけるクロスコネクト（図示せず）の誤設定の確認、すなわちパス終端装置１−１０間のパスの導通確認は、図２１（１）に一般的に示したＳＯＮＥＴ／ＳＤＨ系伝送フレームのオーバーヘッドに対し、パス終端装置における終端オーバーヘッドとして同図（４）に網掛け部分で示すように、セクションオーバーヘッドＳＯＨとラインオーバーヘッドＬＯＨとパスオーバーヘッドＰＯＨの全てを用い、この内のパスオーバーヘッドＰＯＨ内のＪ１バイト部分に固定パターン（パストレースコード）を連続的に挿入することにより行うことができる。
すなわち、図２２に示すように、パス終端装置１と１０との間はＪ１バイト部分によりパストレースが可能であり、これによりパスの導通確認を行い、クロスコネクトの誤設定を確認することが可能となる。
また、図２０に示すライン終端装置２〜８における終端オーバーヘッドは、図２１（３）に網掛け部分で示すように、セクションオーバーヘッドＳＯＨとラインオーバーヘッドＬＯＨが使用される。
さらに、図２０には示されていないが図２２に示すセクション終端装置（ＳＴＥ：Ｓｅｃｔｉｏｎ  Ｔｅｒｍｉｎａｔｉｎｇ  Ｅｑｕｉｐｍｅｎｔ）における終端オーバーヘッドは、図２１（２）に網掛け部分で示すように、セクションオーバーヘッドＳＯＨのみを使用し、この中のＪ０バイト部分に固定連続パターン（セクショントレースコード）を挿入することにより、図２２に示すセクション終端装置５１−５２間においてセクショントレースが可能であり、光ファイバの導通確認が実行できることとなる。
一方、図２０に示したライン終端装置２〜８における任意のライン終端装置間で導通確認をする場合、図２１に示したＪ１バイト部分は同図（３）に示すようにデータを挿入することが禁止されているので、Ｊ１バイト部分を使用してライン終端装置間の中間パストレース（パス終端装置間の中間のパストレースという意味）を行うことはできない。
ただし、このようにライン終端装置においてはＪ１バイト部分を挿入できないものの、Ｊ１バイト部分自身を抽出することは可能であるから（ＧＲ−２５３−ＣＯＲＥ  ＩＳＳＵＥ０３にＪ１バイト部分のコンテンツのレポート機能が規定されている。）、任意のライン終端装置で抽出されたＪ１バイト部分に挿入されているデータ（パストレースコード）と、他の任意のライン終端装置で抽出されたＪ１バイト部分に挿入されているデータとを比較することにより中間パストレース機能を果たすことは可能である。
しかしながら、このような場合、パス終端装置１−１０間においてＪ１バイト部分を用いてパストレースが実施されていないときは、Ｊ１バイト部分にはパストレースコードが挿入されていない状態となるので、ライン終端装置においてＪ１バイト部分のデータ（中間パストレースコード）が受信できないこととなり、ライン終端装置間では中間パストレースを行うことができない。
さらに、Ｊ１バイト部分での中間パストレースはＵＮＥＱ（回線未使用）時はパスオーバーヘッドＰＯＨがオール“０”になり、Ｊ１バイト部分も“０”になってしまうので、パストレースコードの受信ができなくなる。これは回線構築の際に、ＵＮＥＱを解除、つまり回線接続設定を行いクライアントネットワークとの接続を行った後にしかパストレースが行えないことを示している。
従って、もし回線の誤設定が発生していたら、パストレースを行い、誤設定を発見するまでの間は回線の誤接続状態となりクライアントデータの流出が発生することになる。これを避ける為には回線がＵＮＥＱ状態においてもパストレースを可能にする必要がある。
また、クライアント側情報にアクセスが禁止されている場合、すなわち図２１（４）に示すパスオーバーヘッドＰＯＨの抽出が許可されていない場合もあり、このときにはＪ１バイト部分のパストレースコードが受信できないこととなり、ライン終端装置間では中間パストレースを行うことができない。
さらに、ライン終端装置においてはラインオーバーヘッドＬＯＨ（図２１（３）参照）は終端することができるので、ラインオーバーヘッドＬＯＨへの中間パストレースコードの挿入／抽出も可能であるが、図２３（１）に示すような受信部６０とクロスコネクト部６１と送信部６２から成る一般的なライン終端装置の構成においては、受信部６０で受信されたラインオーバーヘッドＬＯＨは、送信部６２で新しいラインオーバーヘッドＬＯＨに書き換えられてしまい、トランスペアレントなコード転送ができない。
このため、同図（２）に示すように、受信部６０におけるＳ／ＬＯＨ受信処理部１１にコード抽出部１３０を接続して中間パストレースコードを抽出し、且つクロスコネクト部６１におけるクロスコネクト１２０のチャネル入れ換えに対応して該中間パストレースコードをコード変換部６１２で変換し、コード挿入部１５０によりＳ／ＬＯＨ送信処理部４４でコード挿入を行うという追加回路を用いてトランスペアレントなコード転送を行うことが必要になる。
すなわち、パス単位に付加されたパストレースコードはクロスコネクト通過後は通過前と異なったチャネル（タイムスロット）に割り当てられてしまうため、クロスコネクト情報も送信処理部４４で伝達する必要がある。この場合、各機能がユニット別に分かれている場合はユニット間の専用回路（コード抽出部１３０、コード変換部１４０、及びコード挿入部１５０）が必要となってしまい、この機能を新規に追加する場合は多種のユニットの回路変更が必要になってしまう。
＜先行技術文献＞
特開平６−１６９３１１号公報には、局間の伝送経路を追跡するルートマップ処理、各局におけるＭＵＸの接続経路を追跡するＭＵＸマップ処理、局内の接続経路に“接”（Ｂａｃｋ  ｔｏ  Ｂａｃｋ）が含まれるときにこの“接”に対応した経路を追跡する局内マップ処理、“接”が局内に存在したときに追跡の始点を表わす情報を“接”の構造に基づいて変更する変更処理を適宜切換えて、ＭＵＸ間の伝送経路を追跡し、その処理切換に応じて経路表示を切換えるようにした伝送ネットワークの伝送経路追跡システムが開示されている。
従って本発明は，光伝送ネットワークにおいてパス終端装置間のＪ１バイト部分を用いたパストレースを行わずに、パス終端装置間の内側にあるライン終端装置間の中間パストレースを行って誤設定確認（導通確認）を行う方法及び装置を提供することを目的とする。
【発明の開示】
上記の目的を達成するため、本発明に係るパストレース方法は、所定の第１のライン終端装置で伝送フレームフォーマットの所定バイト部分に所定のトレースコードを挿入する第１ステップと、所定の第２のライン終端装置で、該所定バイト部分のデータを抽出し、該データを、該所定のトレースコードに対応する期待値と比較する第２ステップとを備えたことを特徴としている。
本発明を図１により説明すると、パス終端装置１−１０間に位置する例えば所定の、すなわち送信側装置として予め決められたライン終端装置（ＬＴＥ）３において、同図（１）に示すように、伝送フレームフォーマットの所定バイト部分、例えばＳＯＮＥＴ／ＳＤＨ光伝送システム系のＨ３バイト部分に所定のトレースコード（中間パストレースコード）を伝送フレームに挿入して送出する。
そして、所定の、すなわち受信側装置として予め決められた第２のライン終端装置６において、Ｈ３バイト部分のデータを抽出し、このデータ、すなわち受信値と、上記の所定トレースコードに対応して予め用意した期待値とを比較する（同図（４））。
この結果、両者が一致する場合にはクロスコネクトに誤設定が無いことを確認（導通確認）することが可能となる。
これとは逆に、ライン終端装置６でＨ３バイト部分に所定トレースコードを挿入し（同図（３））、ライン終端装置３で期待値と受信値とを比較（同図（２））することも可能である。
上記の場合、ライン終端装置３と６の中間に位置するライン終端装置４においては、上記のＨ３バイト部分をそのまま通過させることにより、このＨ３バイト部分に関しトランスペアレントなデータ転送が実現されている。
上記の第１及び第２ステップはパス回線が未設定（未使用）の場合にも実行することができる。
すなわち、パス回線未設定時には、図２１（４）に示したパスオーバーヘッドＰＯＨ（Ｊ１バイト部分を含む）及びペイロードは“０”となってしまい、パス終端装置１−１０間においてもパストレースを行うことができなくなってしまうが、本発明においては、Ｈ３バイト部分を使用するため、このＨ３バイト部分はパス回線未設定時であってもデータはオール“０”にマッピングされることはないので上記と同様に中間パストレースが可能となる。
また、上記の第１ステップでは、パスアラーム発生時（Ｐ−ＡＩＳ）に、所定のトレースコードの代わりにアラームコードを所定バイト部分に挿入することができる。
すなわち、パスアラーム発生時においては、Ｈ３バイト部分もオール“１”がマッピングされるので、上記の本発明の場合にも、所定のトレースコードの代わりにオール“１”などのアラームコードがＨ３バイト部分に挿入されてしまう。
そこで、上記の第２ステップにおいては、このようなアラームコードを検出したときには、所定のＨ３バイト部分のデータ（受信値）と期待値との不要な比較動作を行わないようにしている。
上記のような動作を考慮すると、第１及び第２のライン終端装置間においては、第１のライン終端装置が上記の第１ステップでそれぞれ所定のトレースコードを送信し、第２のライン終端装置では、これを受信値として抽出すると共に第２のライン終端装置自身が送信しようとする所定のトレースコードそのものを期待値として該受信値と比較することにより、上記の第２ステップを実行してもよい。
すなわち、第２のライン終端装置において、所定のトレースコードとして期待値を予め設定する代わりに、第１及び第２ライン終端装置間で所定のトレースコードを相互に送信し合うことによりＨ３バイト部分のデータと所定のトレースコードに対応する期待値とを比較することができる。
さらに上記の第１ステップでは、コンカチ信号送信時には、先頭チャネルのみ上記のＨ３バイト部分に所定のトレースコードを挿入すればよい。
すなわち、クロスコネクトはコンカチネーション単位で処理が行われるため、コンカチネーション内の信号がバラバラにクロスコネクト設定することは無いということを前提にして、第１ステップにおけるＨ３バイト部分への中間トレースコードの挿入は先頭チャネルのみ行えば良いことになる。
従って、上記の第２ステップでは、コンカチ信号受信時において先頭チャネルのみ検出したデータと期待値との比較を実行すれば良い。
さらに上記の第２ステップでは、パスアラーム（Ｐ−ＡＩＳ）信号受信時であっても、自装置が所定バイト部分（Ｈ３バイト部分）をサポートしていないときは、Ｈ３バイト部分が全て同符号（オール“１”又は“０”）であればパストレースエラー信号を発生しないようにすることができる。
すなわち、Ｈ３バイト部分をサポートしていないライン終端装置においては、スタッフ時又はスタッフ／デスタッフ動作無しのときにはオール“１”（ＳＤＨ系）かオール“０”（ＳＯＮＥＴ系）がマッピングされるので、このようにＨ３バイト部分のデータが同符号の場合にはパスアラーム信号を検出してもパスアラーム発生時とは限らず、従って中間パストレースエラーを発生しないようにすることができる。
さらに上記の第１ステップは、可変フレーム長に対応してＨ３バイト部分に所定のトレースコードを挿入することができる。
従って、これに応じて上記第２のステップでは、該可変フレーム長からデータを抽出すればよい。
また、本発明では、上記第２ステップでの比較結果が不一致であったとき、両ライン終端装置間の他のライン終端装置においてループバックさせることにより正常なライン終端装置を検知する第３ステップをさらに備えることもできる。
すなわち、上記の場合にはクロスコネクトの誤設定の有無は判別できるが、どこで誤設定が生じているかは判別できない。
そこで、本発明では各ライン終端装置にループバック機能を設け、上記第２ステップで不一致判定したときには、中間のライン終端装置をループバックさせることにより、どこまでが正常なライン終端装置かを判別できるようにしている。
上記のような本発明に係るパストレース方法を実現する本発明装置として、伝送フレームフォーマットの所定バイト部分に所定のトレースコードを挿入する所定の第１のライン終端装置と、該所定バイト部分のデータを抽出し、該データを、該所定のトレースコードに対応する期待値と比較する所定の第２のライン終端装置と、を備えたことを特徴とするパストレース装置が提供される。
このパストレース装置においては、両ライン終端装置以外のライン終端装置は、該所定バイト部分をそのまま通過させることができる。
また、このパストレース装置においても所定バイト部分として、ＳＯＮＥＴ／ＳＤＨ系のＨ３バイト部分を用いることができる。
そして、該第１及び第２のライン終端装置は、パス回線未設定時にも、上記の挿入及び比較動作を実行することができる。
これに応答して、該第１のライン終端装置は、パスアラーム発生時に、該所定のトレースコードの代わりに、アラームコードを該所定バイト部分に挿入することができる。
また、該第２のライン終端装置は、該アラームコードを検出したときには該比較を実行しないようにすることができる。
また、両ライン終端装置は、それぞれ該所定のトレースコードを送信し、検出した該データと自装置が送信する該期待値とを比較することも可能である。
また、該第１のライン終端装置は、コンカチ信号時には、先頭チャネルのみ該所定バイト部分に該所定のトレースコードを挿入してもよい。
これに応答して、該第２のライン終端装置は、該コンカチ信号時には、先頭チャネルのみ該比較を実行することができる。
また、該第２のライン終端装置は、該パスアラーム信号受信時であっても、自装置が該所定バイト部分をサポートしていないときは、該所定バイト部分が全て同符号であれば、中間パストレースエラー信号を発生しないようにすることもできる。
さらに、該第１のライン終端装置は、可変フレーム長に対応して該所定バイト部分に該所定のトレースコードを挿入することができる。
さらに、該第２のライン終端装置は、該可変フレーム長から該データを抽出することができる。
さらに、本発明に係るパストレース装置は、該第２のライン終端装置での比較結果が不一致であったとき、両ライン終端装置間の他のライン終端装置においてループバックさせることにより正常なライン終端装置を検知することができる。
上記のパストレース方法及び装置に加えて、本発明では、伝送フレームフォーマットの所定バイト部分に所定のトレースコードを挿入する第１手段と、該所定バイト部分をそのまま通過させる第２手段と、該所定バイト部分のデータを抽出し、該データを、該所定のトレースコードに対応する期待値と比較する第３手段と、を備えたことを特徴とするライン終端装置が提供される。
【図面の簡単な説明】  図１は、本発明に係るパストレース方法及び装置の動作を説明するための概略図である。
図２は、本発明に係るパストレース方法及び装置に用いられるライン終端装置の一実施例を示したブロック図である。
図３は、図２に示した実施例において、ライン終端装置が送信局を構成する場合の動作を説明するための図である。
図４は、図２に示した実施例において、ライン終端装置が中間局を構成する場合の動作を説明するための図である。
図５は、図２に示した実施例において、ライン終端装置が受信局を構成する場合の動作を説明するための図である。
図６は、本発明に係るパストレース方法及び装置の実施例において、パス回線未設定時のフレームデータ状態を示したフォーマット図である。
図７は、パス回線未設定時における本発明の動作を説明するための概略図である。
図８は、パスアラーム時（Ｐ−ＡＩＳ時）におけるフレームデータのマッピング状態を示したフォーマット図である。
図９は、パスアラーム発生時における本発明に係るパストレース方法及び装置の送信側を部分的に拡大して示したブロック図である。
図１０は、図９に対応する受信側部分を示したブロック図である。
図１１は、本発明に係るパストレース方法及び装置において、両ライン終端装置からトレースコードを送信することにより中間パストレースを行う実施例を示した図である。
図１２は、本発明に係るパストレース方法及び装置に用いるコンカチ信号を説明するための図である。
図１３は、コンカチ信号時における本発明に係るパストレース方法及び装置の送信側を部分的に拡大して示したブロック図である。
図１４は、図１３に対応した受信側部分を示したブロック図である。
図１５は、Ｈ３バイトをサポートしない伝送系におけるスタッフ時及びデスタッフ時の有無によってＨ３バイトがマッピングされる様子を示したフレームフォーマット図である。
図１６は、図１５に示したフレームフォーマットに対応してパスアラーム信号受信時であってもパストレースエラーを発生しない実施例を示したブロック図である。
図１７は、本発明に係るパストレース方法及び装置をマルチフレームにも適用した場合のパターンフォーマット図である。
図１８は、図１７のマルチフレームパターンを送受信する場合のフローチャート図である。
図１９は、本発明に係るパストレース方法及び装置において、ループバック機能を用いてクロスコネクトの障害部分を検出するための実施例を示した図である。
図２０は、従来から知られているパス終端装置間のパス導通確認（パストレース）を行う動作を示した概略図である。
図２１は、ＳＯＮＥＴ／ＳＤＨ光伝送系のフレームフォーマットにおけるオーバーヘッドを説明するための図である。
図２２は、パストレース系とセクショントレース系とを示したブロック図である。
図２３は、従来及び本発明のパストレース方法及び装置を説明するためのブロック図である。
【符号の説明】
１，１０パス終端装置（ＰＴＥ）
２〜８  ライン終端装置（ＬＴＥ）
ＮＷ１〜ＮＷ３  ネットワーク
１１，４４  Ｓ／ＬＯＨ処理部
１２，３２  Ｈ１／Ｈ２抽出部
１３，３３  Ｈ３抽出部
１４，３４  Ｊ１カウンタ
１５，３５  エラスティックストア（ＥＳ）
１６，３６  ＦＩＦＯ
１７，  比較部
１８，３８  書込カウンタ（ＷＣＴＲ）
１９，３９  位相比較器
２０，４０  読出カウンタ（ＲＣＴＲ）
２１，４１  Ｈ１／Ｈ２挿入部
２２，４２  Ｈ３挿入部
４３  セレクタ（ＳＥＬ）
１００，１１０  ポインタ処理部（ＰＴＲ）
２３  Ｐ−ＡＩＳ検出部
４５  Ｐ−ＡＩＳ制御部
２４  コンカチ判定部
４６  コンカチ制御部
２６  マスク部
６０  送信部
６１  クロスコネクト部
６２  送信部
１２０  クロスコネクト
図中、同一符号は同一又は相当部分を示す。
【発明を実施するための最良の形態】  図２は、本発明に係るパストレース方法及び装置に用いられるライン終端装置の一実施例を示したものである。この実施例によるライン終端装置は、概略的には、図２３（１）に示した従来例と同様に、Ｓ／ＬＯＨ受信処理部１１とポインタ（ＰＴＲ）処理部１００とクロスコネクト３０とポインタ処理部１１０とＳ／ＬＯＨ送信処理部４４とで構成されている。
ただし、この実施例においては、ライン終端装置で終端が可能な所定バイト部分であるＨ３バイト部分に所定の中間パストレースコードを挿入し、そこから抽出するようにしたものである。
すなわち、Ｈ３バイト部分はラインオーバーヘッドＬＯＨ（図２１（３）参照）の領域に含まれるが、ポインタバイトであるため、Ｓ／ＬＯＨ処理部（図２３参照）ではなく、ポインタ（ＰＴＲ）処理部（同）で終端される。従って、ポインタ処理部に機能を追加するだけで、受信したＨ３バイト部分をトランスペアレントに転送することが可能となる。
このようなことから、本発明に係るパストレース方法及び装置を実現するライン終端装置においては、受信側のポインタ処理部１００が、Ｈ１／Ｈ２抽出部１２とＨ３抽出部１３とＪ１カウンタ１４とエラスティックストア（ＥＳ）１５とＦＩＦＯ１６と比較部１７と書込カウンタ（ＷＣＴＲ）１８と位相比較器（ＰＣ）と読出カウンタ（ＲＣＴＲ）２０とＨ１／Ｈ２挿入部２１とＨ３挿入部２２とで構成されている。
また、送信側のポインタ処理部１１０は、Ｈ１／Ｈ２抽出部３２とＨ３抽出部３３とＪ１カウンタ３４とエラスティックストア３５とＦＩＦＯ３６と書込カウンタ３８と位相比較器３９と読出カウンタ４０とＨ１／Ｈ２挿入部４１とＨ３挿入部４２とセレクタ４３とで構成されている。
ポインタ処理部１００において、Ｈ１／Ｈ２抽出部１２は、Ｓ／ＬＯＨ処理部１１で受信処理したフレームにおけるＨ１，Ｈ２バイト部分を抽出してＪ１カウンタ１４に送るものである。Ｈ３抽出部１３は、Ｓ／ＬＯＨ処理部１１で受信処理したフレーム内のＨ３バイト部分をＨ１／Ｈ２抽出部１２で抽出したＨ１，Ｈ２バイト部分に基づいてＨ３バイト部分を抽出する。すなわち、デスタッフ時はＨ３バイト部分にペイロードがマッピングされるためにＨ３バイト部分の抽出を禁止するものである。
ＦＩＦＯ１６は、Ｈ３抽出部１３で抽出されたＨ３バイト部分をＨ３挿入部２２へ送るときにメモリ１５にタイミングを合わせるもの、すなわち入力側から抽出されたＨ３バイト部分を出力側へトランスペアレントに転送するためのものである。
メモリ１５に書き込んだデータと読み出すデータはクロックが異なるので、Ｈ３バイト部分のデータもラインクロックで書き込みシステムクロックでＦＩＦＯ１６から読み出すようにしてタイミング合わせを図っている。
Ｊ１カウンタ１４は、Ｈ１，Ｈ２バイト部分から、ペイロード（ＳＰＥ）の先頭位置をメモリ１５に与えるものである。比較部１７は、所定の中間パストレースコードに対応する期待値ＥＣとＨ３抽出部１３で抽出されたＨ３バイト部分におけるデータとを比較してパストレースエラーの有無を判定するものである。
書込カウンタ１８は、Ｓ／ＬＯＨ処理部１１で受信処理したペイロードデータをＪ１カウンタ１４によって示されるペイロードの先頭からメモリ１５に書込むためのカウンタであり、位相比較器１９は、メモリ１５を読み出すときの読出カウンタ２０と書込カウンタとの位相差に基づき、スタッフ／デスタッフ通知信号を発生するものである。
Ｈ１／Ｈ２挿入部２１はメモリ１５から読出カウンタ２０によって読み出されたペイロードデータに対して位相比較器１９からのスタッフ／デスタッフ通知信号に基づきＨ１，Ｈ２バイト部分を挿入するものである。Ｈ３挿入部２２は、ＦＩＦＯ１６から読み出したＨ３バイト部分をラインオーバーヘッドＬＯＨのＨ３バイト位置に書き込むものであり、この際、デスタッフ時は有効データが挿入されているためにＨ３バイト部分へのトレースコードの挿入を禁止している。
ポインタ処理部１１０においては、Ｈ１／Ｈ２抽出部３２は、ポインタ処理部１００におけるＨ１／Ｈ２抽出部１２に対応し、Ｈ３抽出部３３はＨ３抽出部１３、Ｊ１カウンタ３４はＪ１カウンタ４４、エラスティックストア３５はエラスティックストア１５、ＦＩＦＯ３６はＦＩＦＯ１６、書込カウンタ３８は書込カウンタ１８、位相比較器３９は位相比較器１９、読出カウンタ４０は読出カウンタ２０、Ｈ１／Ｈ２挿入部４１はＨ１／Ｈ２挿入部２１、Ｈ３挿入部４２はＨ３挿入部２２、にそれぞれ対応している。
ただし、この送信側のポインタ処理部１１０の場合には、ＦＩＦＯ３６からのＨ３バイト部分と（中間）パストレースコードＰＴＣとがセレクタ４３で切換選択され、Ｈ３挿入部４２に送られるようになっている点が異なっている。なお、パストレースコードＰＴＣとパストレースコード期待値ＥＣとは対応するコードデータである。
図２に示したライン終端装置（ＬＴＥ）は自分自身が、送信局であるか、受信局であるか、或いは送信局と受信局の中間に位置する中間局であるかが別途ネットワーク管理システム側から指示されるようになっており、これに基づいてその動作が異なって来る。
図３は、この場合の送信局の動作を説明するための図であり、図４は中間局、そして図５は受信局における動作を説明するための図である。ただし、いずれも構成自体は同一である。
まず、図３において、送信側のポインタ処理部１１０におけるセレクタ４３は、ＦＩＦＯ３６からのＨ３バイト部分ではなく、所定のパストレースコードＰＴＣを選択してＨ３挿入部４２に送る。これによりＨ３挿入部４２ではＨ３バイト部分に所定トレースコードＰＴＣが挿入されてＳ／ＬＯＨ処理部４４から送出されることとなる。これは図１の例では、ライン終端装置３におけるポインタ処理部１１０に相当する。
図１に示したライン終端装置３から送出された伝送フレームは、図４に示す動作を行うライン終端装置において転送されることとなる。
すなわち、Ｓ／ＬＯＨ処理部１１で受信処理されたフレームはＨ１／Ｈ２抽出部１２でＨ１，Ｈ２バイト部分が抽出されると共に、これに基づきＨ３抽出部１３においてＨ３バイト部分が抽出される。
抽出されたデータは、ＦＩＦＯ１６を介してＨ３挿入部２２によりＨ３バイト部分に挿入され、クロスコネクト部３０に送られる。
クロスコネクト部３０を経由したフレームはＨ１／Ｈ２抽出部３２でＨ１，Ｈ２バイト部分が抽出されると共に、Ｈ３抽出部３３においてＨ３バイト部分が抽出される。そして、Ｈ３バイト部分に挿入されているデータはＦＩＦＯ３６を経由してセレクタ４３に送られる。
このとき、中間局としてのこのライン終端装置においては、セレクタ４３がＦＩＦＯ３６の側を選択するように制御されているので、ＦＩＦＯ３６からのデータはセレクタ４３を経由してＨ３挿入部４２に送られ、Ｈ３バイト部分に挿入され、Ｓ／ＬＯＨ処理部４４から送信される。
このようにして、中間のライン終端装置において、Ｈ３バイト部分におけるデータがトランスペアレントに転送されることとなる。この場合のライン終端装置は、図１におけるライン終端装置４に相当している。
図５は、図１に示した受信局としてのライン終端装置６の動作を説明するためのものである。この実施例においてはＳ／ＬＯＨ処理部１１で受信処理されたフレームは、Ｈ３抽出部１３においてＨ３バイト部分に挿入されているデータが抽出され、比較部１７に送られる。
比較部１７では、予め用意されているパストレースコード期待値ＥＣと、Ｈ３抽出部１３からのデータとを比較し、両者が一致すればクロスコネクトに誤設定が無いこと（回線正常）が確認でき、不一致の場合にはどこかのクロスコネクトに誤設定があることが確認できる。
なお、図３及び図４における比較部１７においてもパストレースコード期待値ＥＣとＨ３抽出部１３からの抽出データとが比較されるようになっているが、比較部１７は受信局として動作するように指示されている場合以外動作しないようになっており、両者の一致及び不一致は結果として現れない。
上記の実施例は、回線が既に設定されている状態（回線未使用時）を扱っているが、回線が未設定時の場合は、図６に網掛け部分で示すように、パスオーバーヘッドＰＯＨ（Ｊ１バイト部分を含む）及びペイロードはオール“０”となってしまい、パス終端装置（図１のパス終端装置１及び１０参照）においてもＪ１バイト部分に基づくパストレースを行うことができなくなってしまう。
従って、通常は回線設定を行ってからのみパストレースを行うことができるのであり、回線未設定の場合にはパスの導通が未確認なまま回線をクライアントに提供することになってしまっている。
これに対し、本発明によるパストレース方法及び装置ではＨ３バイト部分を使用するため、回線未設定時においてもＨ３バイト部分のデータはオール“０”にマッピングされることはないのでパストレースが可能となる。この場合の回線構築例を図７を参照して以下に説明する。
（１）ライン終端装置２においては、クライアント側ネットワークＮＷ２のパス終端装置１との回線設定をＵＮＥＱ（パス回線未設定）に設定する。
（２）ライン終端装置８においても、同様に回線設定をＵＮＥＱに設定する。
（３）クライアント側ネットワークＮＷ２から内側のネットワーククロスコネクト設定を行う。この状態でＵＮＥＱ設定のライン終端装置にはパスオーバーヘッドＰＯＨはオール“０”のフレームデータが入力されているが、Ｈ３バイト部分にはパストレースコードＰＴＣがマッピングされているので期待値と受信値との比較が可能となる。
（４）このようなパストレース方法でパスの導通を確認した後にＵＮＥＱを解除し、回線設定を行い、回線誤接続が無い状態でクライアントに回線を提供する。
一方、パスアラーム（Ｐ−ＡＩＳ）発生時においては、図８の伝送フレームフォーマットに網掛け部分で示す如く、ペイロード（ＳＰＥ）のみならずＨ３バイト部分もオール“１”がマッピングされることになる。
従って、パスアラーム発生時は上流でパストレースコードが挿入されて来ても、途中のライン終端装置ＬＴＥにおいてエラーが発生した場合には、パスアラーム処理によりＨ３バイト部分はオール“１”がマッピングされてしまい、比較部１７における期待値と受信値との比較照合処理ができなくなってしまうことになる。
そこで、本発明による実施例では、パスアラーム発生時には、Ｈ３バイト部分にオール“１”を受信したときには、比較部１７における比較動作を行わないようにさせている。
図９はこの場合の送信側のパスアラーム発生処理系統を示したものであり、Ｈ３挿入部４２には、Ｈ１／Ｈ２挿入部４１に加えてＰ−ＡＩＳ制御部４５が接続されている。
すなわち、Ｐ−ＡＩＳ制御部４５がパスアラームの発生を検出したとき、Ｈ３挿入部４２におけるＨ３バイト部分を全て“１”を挿入するように制御している。その他の動作は図２〜図５と同様である。
図１０は、図９に示した送信系統に対応する受信系統を示したものである。すなわち、パスアラーム発生時においては、Ｈ１，Ｈ２バイト部分はＨ１／Ｈ２抽出部１２においてオール“１”が検出されるので、このときＰ−ＡＩＳ検出部２３はパスアラーム発生時であると判定して、比較部１７によるＨ３抽出部１３からのＨ３バイト部分におけるデータとパストレースコード期待値ＥＣとの比較を中止する。従って、受信データと期待値との一致／不一致に関わらず、比較部１７からは比較結果が出力されないこととなる。
上記の実施例では、比較部１７には、予め用意したパストレースコード期待値ＥＣが与えられて、受信データ値との一致／不一致を検出しているが、図１１に示す実施例の場合には送信側のライン終端装置と受信側の終端装置からのそれぞれの送信データを用いてパスの導通確認（中間パストレース）を行うことができる。
すなわち図１に示したように、ライン終端装置（ＬＴＥ）２からライン終端装置８への中間パストレースを行う場合、図１１（１）のように回線設定が正常な場合には、ライン終端装置２からＨ３バイト部分に挿入される所定トレースコードを“ＡＡＡＡＡＡ”として送出すると（ステップＳ１）、この所定トレースコード“ＡＡＡＡＡＡ”は、ライン終端装置３においてＨ３バイト部分の抽出が行われ（ステップＳ２）、クロスコネクト３０を経由してＨ３バイト部分に再びトレースコード“ＡＡＡＡＡＡ”が挿入される（ステップＳ３）。
同様にしてステップＳ４〜Ｓ９までライン終端装置４，６，７を経由してトレースコード“ＡＡＡＡＡＡ”がトランスペアレントに転送され、そして受信側のライン終端装置８においてＨ３バイト部分からトレースコード“ＡＡＡＡＡＡ”を抽出することになる（ステップＳ１０）。
一方、ライン終端装置８は送信側のライン終端装置としても機能し、Ｈ３バイト部分に同じトレースコード“ＡＡＡＡＡＡ”を挿入し（ステップＳ１２）、ステップＳ１３〜Ｓ２０により、ライン終端装置７，６，４，３を経由して受信側のライン終端装置２において、Ｈ３バイト部分からトレースコード“ＡＡＡＡＡＡ”を抽出することになる（ステップＳ２１）。
この結果、ライン終端装置２においては、ステップＳ１で挿入したデータ“ＡＡＡＡＡＡ”とステップＳ２１で抽出したデータ“ＡＡＡＡＡＡ”とが比較され（ステップＳ２２）、両者は一致しているので、いずれのクロスコネクト３０においても正常な回線設定がされているという、中間パスの導通確認を行うことが可能となる。
一方、同図（２）に示すように、ライン終端装置６においてクロスコネクト３０がチャネルＣＨ１とチャネルＣＨ２とを誤設定したような場合、ライン終端装置２においてステップＳ１でＨ３バイト部分にトレースコード“ＡＡＡＡＡＡ”を挿入して送出した場合、ライン終端装置３及び４を経てライン終端装置６に到達したとき、ステップＳ６においてはＨ３バイト部分にトレースコード“ＡＡＡＡＡＡ”が抽出されるが、ステップＳ７においては、クロスコネクト３０でチャネルが誤設定されているため、Ｈ３バイト部分にはデータ“ＢＢＢＢＢＢ”が抽出されてしまい、これがライン終端装置７を経由してライン終端装置８に送られると、ステップＳ１０においてはＨ３バイト部分からデータ“ＢＢＢＢＢＢ”を受信することとなる。
従って、ステップＳ１１における比較においては、データ“ＡＡＡＡＡＡ”≠データ“ＢＢＢＢＢＢ”であるため、クロスコネクトが誤設定されていることが判明する。
一方、ライン終端装置８においてトレースコード“ＡＡＡＡＡＡ”を設定して送出し、ライン終端装置７，６，４，及び３を経由してライン終端装置２に送られると、ステップＳ２１においてＨ３バイト部分で抽出されるデータは“ＢＢＢＢＢＢ”となり、やはりステップＳ２２においても送信データと受信データは不一致となるので、ライン終端装置２においてもクロスコネクトの誤設定が確認できることとなる。
このように送信側でも中間パスの導通確認が行われると、受信側のライン終端装置までリモートアクセスを行い、パストレースコードの確認を行わずに回線保守を容易に行うことができることとなる。
上記の実施例の場合には、各チャネル毎にバラバラにクロスコネクト設定されることを想定してＨ３バイト部分に所定のトレースコードを挿入し、且つその抽出を行うようにしているが、図１２に示すようなコンカチ信号の場合には、コンカチネーション単位で処理が行われるため、コンカチネーション内の信号がバラバラにクロスコネクト設定されることはない。
従って、Ｈ３バイト部分におけるデータの挿入及び抽出並びに比較機能の簡素化、或いは回路機能を縮小するために、ＳＴＳ−Ｎｃのコンカチネーション信号入力時は期待値判定は先頭チャネルのみのＨ３バイト部分処理を行い、従属チャネルのＨ３バイト部分の処理を行わないようにすることが可能となる。
そこで、図１３に示すように、ライン終端装置の送信側においては、Ｈ３挿入部４２にコンカチ制御部４６を接続し、このコンカチ制御部４６がコンカチ信号であることを検出した場合には、コンカチ信号の先頭チャネルにＨ３バイト部分の挿入を行う。
これを図１２で見ると、ＳＴＳ４８ｃのコンカチ信号の場合、同図（１）に示すようにチャネルｃｈ０１のみについてＨ３バイト部分に中間パストレースコードを挿入すればよく、同図（２）のＳＴＳ１２ｃのコンカチ信号の場合には、先頭チャネルとしてｃｈ０１，ｃｈ１３，ｃｈ２５，ｃｈ３７にのみＨ３バイト部分にトレースコードを挿入すればよい。これは、同図（３）に示すＳＴＳ３ｃのコンカチ信号の場合も同様であり、３チャネル間隔で中間パストレースコードを挿入すればよい。
図１４は、このようにしてコンカチ信号の先頭チャネルにのみ挿入されたＨ３バイト部分の中間パストレースコードを受信するための構成を示している。
すなわち、比較部１７にはＨ３抽出部１３からの受信値及びパストレースコード期待値ＥＣの他に、コンカチ判定部２４を接続し、このコンカチ判定部２４がＨ１／Ｈ２抽出部１２で抽出したＨ１，Ｈ２バイト部分から受信信号がコンカチ信号であることが分かれば、その先頭チャネルのみ比較を行うための制御信号を比較部１７に与えることにより比較部１７の動作の簡素化が図れる。
なお、図１３の送信部においては従属チャネルのＨ３バイト部分にはオール“１”を挿入し、図１４に示す受信側においては、従属チャネルのＨ３バイト部分の処理は行わないこととなる。
上記の実施例の場合には、ＳＯＮＥＴ／ＳＤＨ系のようにＨ３バイト部分をサポートしているライン終端装置であることを前提としているが、受信側のライン終端装置がＨ３バイト部分をサポートしない装置であることも考慮する必要がある。
すなわち、通常のライン終端装置でのＨ３バイト部分には、Ｈ３バイト処理のサポートの有無に関わらず、デスタッフ時にペイロードが挿入されるが、ライン終端装置がＨ３バイト部分をサポートしない装置である場合、図１５（１）に示すスタッフ時又は同図（２）に示すスタッフ／デスタッフ動作無しの場合には、ＳＤＨ系ではオール“１”がマッピングされ、ＳＯＮＥＴ系ではオール“０”がマッピングされることとなる。
従って、Ｈ３バイト部分処理をサポートしていないライン終端装置が中間パストレースを行う経路に存在している場合には、このＨ３バイト部分にオール“１”又は“０”が挿入されているため、パスアラーム発生時（ＰＩＰ−ＡＩＳ発生時）と誤判定してしまう可能性がある。
そこで、図１６に示すように、Ｈ／Ｈ２抽出部１２においてＨ１，Ｈ２バイト部分を抽出した結果、Ｐ−ＡＩＳ検出部２３でパスアラーム状態と判定した場合、この実施例では図１０の実施例のように比較部１７を直接制御しない。
このため、比較部１７の比較結果をマスク部２６に与え、そのマスク部２６はＨ３抽出部１３で抽出されたデータが検知部２５においてオール“１”又は“０”であることを判定した場合には、パスアラーム状態ではないとしてマスク部２６において比較部１７からのパストレースエラー信号（ＴＩＭ−Ｐ：ＳＴＳ  Ｐａｔｈ  Ｔｒａｃｅ  Ｉｄｅｎｔｉｆｉｅｒ  Ｍｉｓｍａｔｃｈ）をマスクし、以ってパスの中間でＨ３バイト部分通過機能を有していないライン終端装置のアラームエラーを排除している。
なお、Ｈ３バイト部分をサポートしているライン終端装置の場合には、ＡＳＣＩＩコードを使用し、オール“１”又は“０”は使用しないため、Ｈ３バイト部分処理をサポートしていないライン終端装置がパストレース間にあるか否かを区別することが可能である。
以上の実施例では通常の単一フレームにおけるＨ３バイト部分の挿入及び抽出を前提にしているが、これに限らずマルチフレームパターンの場合にも本発明を適用することができる。
すなわち、マルチフレームパターンフォーマットの場合には図１７に示す如く、バイト＃１はマルチフレームパターンを示し、バイト＃２はフレーム長を示しており、更にバイト＃３〜＃Ｎはパストレースコードの期待値ＥＣを示すＡＳＣＩＩコードが挿入されている。
図１８（１）にはこのようなマルチフレームをパストレースコードとして挿入するＨ３挿入部の動作実施例が示されており、同図（２）の場合にはＨ３抽出部の動作実施例が示されている。
同図（１）に示すように、パストレースコード送信側においては、動作開始後（ステップＳ１０１）、マルチフレームパターンをバイト＃１に挿入し（ステップＳ１０２）、更にフレーム長をバイト＃２に挿入し（ステップＳ１０３）、そしてバイト＃３〜＃Ｎにパストレースコードを挿入する（ステッフＳ１０４）。これにより、Ｎバイトの中間パストレースコードの挿入を行うことができる。
そして、指示したフレーム長まで書き込みが完了したか否かを判定し（ステップＳ１０５）、これを完了するまで実行し、完了した後はステップＳ１０２に戻る。
同図（２）に示すパストレースコードの受信側においては、動作開始後（ステップＳ１１１）、バイト＃１によりマルチフレームパターンであるか否かを検知し（ステップＳ１１２）、検知したときには、バイト＃２に示すフレーム長に従いＮバイトのパストレースコードをメモリに書き込む（ステップＳ１１３）。そして、これらのＮバイトのパストレースコードを結合することにより中間パストレースコードを抽出することができる。
上記の実施例の場合には、送信側のライン終端装置から受信側のライン終端装置まで中間パストレースを実行する場合、受信データ値と期待値との照合結果により両ライン終端装置間のどこかでクロスコネクトの誤接続（誤回線設定）がなされていることは分かるが、どのクロスコネクトで障害が発生しているかまでは分からない。
このような観点から図１９に示す実施例においてはクロスコネクトがどこまで設定されているかを確認できるようにしている。
すなわち、例えば図示のように、ライン終端装置６のクロスコネクト３０において誤設定障害が発生した場合、Ｈ３バイト部分のループバック機能を使用することにより、下記の手順でどこのライン終端装置のクロスコネクトまでが正しく設定されているかを実行する。
（１）受信側のライン終端装置８において、ステップＳ１１で期待値と受信値の不一致が発生する。
（２）Ｈ３バイト部分のマルチフレームフォーマットの“Ｈ３バイト部分ループバック設定”を“イネーブル”に設定する。
（３）受信側のライン終端装置７，６，４，３はＨ３バイト部分のマルチフレームフォーマット中の“Ｈ３バイト部分ループバック設定”を“イネーブル”であるとして受信した場合には、受信したＨ３バイト部分を、送信側のＨ３バイト部分へループバック挿入する（ステップＳ３８，Ｓ３６，Ｓ３４，Ｓ３２）。
すなわち、ライン終端装置８はステップＳ１２によりＨ３バイト部分に所定の中間パストレースコードを挿入してライン終端装置７に送ると、ライン終端装置７ではステップＳ１３によりＨ３バイト部分の抽出を行ってクロスコネクト３０に送ると共にループバック機能が設定されている（ステップＳ３８）ため、Ｈ３バイト部分に挿入したデータを更にステップＳ９によりＨ３バイト部分に挿入してライン終端装置８へループバックさせる。
この場合、ループバックのマルチフレームパターンの“Ｈ３バイト部分ループバック設定”を“ディスエーブル”にしておく。
（４）ライン終端装置７のクロスコネクト３０は正常であるから、ライン終端装置８に戻って来たＨ３バイト部分のデータは送信側のデータと一致する。従って次にライン終端装置６においてステップＳ１５でＨ３バイト部分の抽出が行われ、ステップＳ７でＨ３バイト部分の挿入をループバック機能（ステップＳ３６）により行うと、これも期待値と受信値は一致する。
しかしながら、ライン終端装置４におけるステップＳ１７とＳ３４とＳ５を経由してループバックして来たデータに関しては、ライン終端装置８で両者が不一致になるので、ライン終端装置８は、ライン終端装置６におけるクロスコネクト３０が誤設定されていることが分かる。
これは、送信側のライン終端装置２においても同様であり、ステップＳ１からＨ３バイト部分にトレースコード挿入して送出し、ライン終端装置３，４，６，及び７を経由して戻って来てステップＳ２１で抽出されたデータが不一致である（ステップＳ２２）から、上記のループバック指令を行って、上記のライン終端装置８と同様の動作を行うことにより、ライン終端装置３及び４まではクロスコネクト３０が正常であるから、ライン終端装置６に障害が発生したことを確認することができる。
以上説明したように本発明に係るパストレース方法及び装置によれば、所定の第１のライン終端装置で伝送フレームフォーマットの所定バイト部分に所定のトレースコードを挿入し、所定の第２のライン終端装置で所定バイト部分のデータを抽出し、そのデータを該所定のトレースコードに対応する期待値と比較するように構成したので、パス終端装置間においてパストレースが実施されていないときでも、その所定バイトを用いて任意のライン終端装置間での中間パストレースを実現することができる。
また、送信側及び受信側のライン終端装置以外のライン終端装置は上記の所定バイト部分をそのまま通過させるので、ラインオーバーヘッドを用いることなく、また、追加回路を必要とせずにトランスペアレントなトレースコード転送を行うことが可能となる。
【図１】
2004051899.tif 000003
【図２】
2004051899.tif 000004
【図３】
2004051899.tif 000005
【図４】
2004051899.tif 000006
【図５】
2004051899.tif 000007
【図６】
2004051899.tif 000008
【図７】
2004051899.tif 000009
【図８】
2004051899.tif 000010
【図９】
2004051899.tif 000011
【図１０】
2004051899.tif 000012
【図１１】
2004051899.tif 000013
【図１２】
2004051899.tif 000014
【図１３】
2004051899.tif 000015
【図１４】
2004051899.tif 000016
【図１５】
2004051899.tif 000017
【図１６】
2004051899.tif 000018
【図１７】
2004051899.tif 000019
【図１８】
2004051899.tif 000020
【図１９】
2004051899.tif 000021
【図２０】
2004051899.tif 000022
【図２１】
2004051899.tif 000023
【図２２】
2004051899.tif 000024
【図２３】
2004051899.tif 000025
【国際調査報告】
2004051899.tif 000026
2004051899.tif 000027
2004051899.tif 000028
2004051899.tif 000029